(57)【要約】【課題】雄桟の突出部における雌桟の係合溝の壁面に接触する面、および、雌桟の係合溝の壁面における雄桟の突出部に接触する面の硬度・強度が高いとともに、重量が軽い天井板用桟木を提供する。【解決手段】外側面に長さ方向に沿って突出部４が形成された雄桟２と、外側面に長さ方向に沿って係合溝８が形成された雌桟６とからなり、雄桟の突出部を雌桟の係合溝に挿入する天井板用桟木において、雄桟および雌桟を、竹からなる竹材層１６、１８と早成樹植林木または間伐木からなる木材層１０、１２、１４とを積層した複層材９により形成する。また、雄桟の突出部における雌桟の係合溝の壁面に接触する面、および、雌桟の係合溝の壁面における雄桟の突出部に接触する面に、上記竹材層を露出させる。【選択図】図１
2013181315.tif 000002
【特許請求の範囲】
【請求項１】
外側面に長さ方向に沿って突出部が形成された雄桟と、外側面に長さ方向に沿って係合溝が形成された雌桟とからなり、前記雄桟の突出部を前記雌桟の係合溝に挿入する天井板用桟木において、前記雄桟および雌桟が、竹からなる竹材層と早成樹植林木または間伐木からなる木材層とを積層した複層材により形成されているとともに、前記雄桟の突出部における前記雌桟の係合溝の壁面に接触する面、および、前記雌桟の係合溝の壁面における前記雄桟の突出部に接触する面に、前記竹材層が露出していることを特徴とする天井板用桟木。
【請求項２】
外側面上下方向中間部に長さ方向に沿って突出部が形成された雄桟と、外側面上下方向中間部に長さ方向に沿って係合溝が形成された雌桟とからなり、前記雄桟の突出部を前記雌桟の係合溝に挿入する天井板用桟木において、前記雄桟および雌桟が、竹からなる竹材層と早成樹植林木または間伐木からなる木材層とを積層した複層材により形成されているとともに、前記雄桟の突出部の上面および下面ならびに前記雌桟の係合溝の上壁面および下壁面に、前記竹材層が露出していることを特徴とする請求項１に記載の天井板用桟木。
【請求項３】
外側面下部に長さ方向に沿って突出部が形成された雄桟と、外側面上部に長さ方向に沿って係合溝が形成された雌桟とからなり、前記雄桟の突出部を前記雌桟の係合溝に挿入する天井板用桟木において、前記雄桟および雌桟が、竹からなる竹材層と早成樹植林木または間伐木からなる木材層とを積層した複層材により形成されているとともに、前記雄桟の突出部の上面および前記雌桟の係合溝の上壁面に、前記竹材層が露出していることを特徴とする請求項１に記載の天井板用桟木。
【請求項４】
前記早成樹植林木または間伐木が、ファルカタ、ポプラ、アカシア、杉および桧から選ばれる１種または２種以上であることを特徴とする請求項１〜３のいずれか１項に記載の天井板用桟木。
【発明の詳細な説明】
【技術分野】
【０００１】
本発明は、雄桟および雌桟からなる天井板用桟木に関する。本発明の桟木は、例えば、目透天井板、石膏ボード天井板等の種々の天井板の桟木として好適に使用される。
【背景技術】
【０００２】
従来、桟木の強度を向上させた目透天井板として、図３に示すものが提案されている（特許文献１）。図３の天井板１００は、下面に化粧加工が施された長尺長方形状の天井板本体１０２と、外側面上下方向中間部に長さ方向に沿って突出部１０４が形成された雄桟１０６と、外側面上下方向中間部に長さ方向に沿って係合溝１０８が形成された雌桟１１０とを備え、雄桟１０６および雌桟１１０の下面を天井板本体１０２の上面幅方向両端部にそれぞれ固定したものである。
【０００３】
また、図３の天井板１００は、雄桟１０６および雌桟１１０が、２枚の南洋材を原料とした中質繊維板１１２を接着剤を用いて水平に接合してなる板材により作製されている。中質繊維板１１２は、表面部分の硬度が、それ以外の部分の硬度より高いという特性を持つため、表面部分に高硬度層１１４を有している。また、雄桟１０６の突出部１０４は、２枚の中質繊維板１１２が接する部分１１６を含んでいる。
【０００４】
図３の天井板１００は、雄桟１０６の突出部１０４の強度が、２層の積層された高硬度層１１４によって十分に高くなっている。また、雌桟１１０の上側凸部１１８は、１層の高硬度層１１４によって強度が向上している。
【０００５】
図３の天井板１００を用いた目透天井の施工は、次のように行われる（図４参照）。まず、壁側に雄桟（図示せず）、部屋側に雌桟１１０が位置するように、部屋の端に張り始めの天井板１００ａを配置する。そして、雌桟１１０の係合溝１０８の上壁面から下地材１２０に釘材１２２を打つことにより、雌桟１１０を下地材１２０に固定する。次に、２枚目の天井板１００ｂの雄桟１０６の突出部１０４を始めの天井板１００ａの雌桟１１０の係合溝１０８に挿入する。これにより、張り始めの天井板１００ａと２枚目の天井板１００ｂとの間に目地部１２４が形成される。その後、前記と同様にして、２枚目の天井板１００ｂの雌桟を釘打ちにより下地材１２０に固定する。以上の作業を繰り返して目透天井を完成させる。
【先行技術文献】
【特許文献】
【０００６】
【特許文献１】特開２００１−３２４３４号公報
【発明の概要】
【発明が解決しようとする課題】
【０００７】
しかし、図３の天井板の桟木（雄桟および雌桟）は、雄桟１０６の突出部１０４の上面および下面、ならびに、雌桟１１０の係合溝１０８の上壁面および下壁面に、中質繊維板の高硬度層１１４以外の硬度・強度が低い部分が露出しているため、施工時に雄桟１０６の突出部１０４と雌桟１１０の係合溝１０８の壁面とが接触したときに、雄桟１０６の突出部１０４や雌桟１１０の係合溝１０８の壁面が損傷する可能性があった。また、図３の天井板の桟木は、中質繊維板により形成されているため、重量が重く、天井板の軽量化を図ることが難しかった。
【０００８】
本発明は、上述した事情に鑑みてなされたもので、雄桟の突出部における雌桟の係合溝の壁面に接触する面、および、雌桟の係合溝の壁面における雄桟の突出部に接触する面の硬度・強度が高いとともに、重量が軽い天井板用桟木を提供することを目的とする。
【課題を解決するための手段】
【０００９】
本発明は、前記目的を達成するため、外側面に長さ方向に沿って突出部が形成された雄桟と、外側面に長さ方向に沿って係合溝が形成された雌桟とからなり、前記雄桟の突出部を前記雌桟の係合溝に挿入する天井板用桟木において、前記雄桟および雌桟が、竹からなる竹材層と早成樹植林木または間伐木からなる木材層とを積層した複層材により形成されているとともに、前記雄桟の突出部における前記雌桟の係合溝の壁面に接触する面、および、前記雌桟の係合溝の壁面における前記雄桟の突出部に接触する面に、前記竹材層が露出していることを特徴とする天井板用桟木を提供する。
【００１０】
上記構成によれば、雄桟の突出部における雌桟の係合溝の壁面に接触する面、および、雌桟の係合溝の壁面における雄桟の突出部に接触する面に、硬度・強度が高い竹材層が露出しているため、施工時に雄桟の突出部と雌桟の係合溝の壁面とが接触したときに、雄桟の突出部や雌桟の係合溝の壁面が損傷することがない。
【００１１】
本発明の桟木を、例えば目透天井板の桟木として使用する場合、本発明の桟木は、外側面上下方向中間部に長さ方向に沿って突出部が形成された雄桟と、外側面上下方向中間部に長さ方向に沿って係合溝が形成された雌桟とからなり、前記雄桟の突出部を前記雌桟の係合溝に挿入する天井板用桟木において、前記雄桟および雌桟が、竹からなる竹材層と早成樹植林木または間伐木からなる木材層とを積層した複層材により形成されているとともに、前記雄桟の突出部の上面および下面ならびに前記雌桟の係合溝の上壁面および下壁面に、前記竹材層が露出している構成とすることができる。
【００１２】
上記構成によれば、雄桟の突出部の上面および下面ならびに雌桟の係合溝の上壁面および下壁面に、硬度・強度が高い竹材層が露出しているため、施工時に雄桟の突出部と雌桟の係合溝の壁面とが接触したときに、雄桟の突出部や雌桟の係合溝の壁面が損傷することがない。
【００１３】
本発明の桟木を、例えば石膏ボード天井板の桟木として使用する場合、本発明の桟木は、外側面下部に長さ方向に沿って突出部が形成された雄桟と、外側面上部に長さ方向に沿って係合溝が形成された雌桟とからなり、前記雄桟の突出部を前記雌桟の係合溝に挿入する天井板用桟木において、前記雄桟および雌桟が、竹からなる竹材層と早成樹植林木または間伐木からなる木材層とを積層した複層材により形成されているとともに、前記雄桟の突出部の上面および前記雌桟の係合溝の上壁面に、前記竹材層が露出している構成とすることができる。
【００１４】
上記構成によれば、雄桟の突出部の上面および雌桟の係合溝の上壁面に、硬度・強度が高い竹材層が露出しているため、施工時に雄桟の突出部と雌桟の係合溝の壁面とが接触したときに、雄桟の突出部や雌桟の係合溝の壁面が損傷することがない。
【００１５】
本発明おいて、竹としては、肉厚が厚く、直径が大きく、高さが高い竹を用いることが、強度および硬度が高い点、加工適性の点で好ましく、例えば、モウソウチク、トウチク等の１種または２種以上を好適に用いることができる。
【００１６】
本発明おいて、早成樹植林木とは、１５年以下、好ましくは１０年以下で成木となる植林木をいう。間伐木とは、植林木の間伐により得られる成木前の木をいう。早成樹植林木および間伐木は、軟らかく軽量である。本発明おいて、早成樹植林木としては、例えば、ファルカタ、ポプラ、アカシア、パリカ、ユーカリ等が挙げられるが、軽量である点、軟らかく加工しやすい点、通気性に富む点、植樹から６年程度で成木となる点で、特にファルカタが好ましい。また、間伐木としては、杉、桧等が挙げられる。なお、本発明では、上述した早成樹植林木の間伐木を用いることもできる。
【００１７】
本発明に用いる複層材は、竹材層と木材層とを接着剤により接合したものである。この場合、接着剤としては、ユリア樹脂、メラミン樹脂、フェノール樹脂、フェノール−ホルムアルデヒド樹脂等が挙げられる。また、竹材層および木材層の接着面に、エンボス加工等によって凹凸を設けることにより、異質材同士の接着強度を高くすることができるとともに、反り、歪みを防ぎ、通直性（製品が真っ直ぐであるという性質）を得ることができる。
【発明の効果】
【００１８】
本発明の天井板用桟木は、竹材層と軽量の木材層とを積層した複層材により形成されているため、重量が軽く、天井板の軽量化を図ることができる。また、雄桟の突出部における雌桟の係合溝の壁面に接触する面、および、雌桟の係合溝の壁面における雄桟の突出部に接触する面に、硬度・強度が高い竹材層が露出しているため、施工時に雄桟の突出部と雌桟の係合溝の壁面とが接触したときに、雄桟の突出部や雌桟の係合溝の壁面が損傷することがない。
【００１９】
この場合、本発明の天井板用桟木は、硬度・強度が高く、撓みにくい竹材層と、軽量で軟らかい木材層とを積層した複層材からなるため、両材料の特性の相乗作用により、硬質でありながら軽量であり、かつ、寸法安定性・天井板本体を支える強度・加工性が良好であるとともに、小断面で長尺の桟木における通直性が良いという優れた性能を示す。
【図面の簡単な説明】
【００２０】
【図１】本発明に係る天井板用桟木の第１実施形態を示すもので、（ａ）は雄桟の断面図、（ｂ）は雌桟の断面図である。
【図２】本発明の第２実施形態に係る天井板用桟木を用いた天井板を施工した状態を示す断面図である。
【図３】従来の目透天井用天井板の一例を示す断面図である。
【図４】図３の天井板を施工した状態を示す断面図である。
【発明を実施するための形態】
【００２１】
以下、本発明を図面に示す実施形態により説明する。
【００２２】
（第1実施形態）
図１は、本発明に係る天井板用桟木の第1実施形態を示すもので、（ａ）は雄桟の断面図、（ｂ）は雌桟の断面図である。本例の桟木は、図３に示したのと同様の目透天井板用桟木である。
【００２３】
本例において、雄桟２は、外側面上下方向中間部に長さ方向に沿って突出部４が形成されたものである。雌桟６は、外側面上下方向中間部に長さ方向に沿って係合溝８が形成されたものである。
【００２４】
本例の雄桟２および雌桟６は、いずれも、竹（本例ではモウソウチクを使用）からなる竹材層と、早成樹植林木（本例ではファルカタを使用）からなる木材層とを交互に積層した５層構造の同一の複層材９により形成されている。具体的には、上記複層材９は、いずれも単板状の第１木材層１０、第２木材層１２、第３木材層１４、第１木材層１０と第２木材層１２との間の第１竹材層１６、および、第２木材層１２と第３木材層１４との間の第２竹材層１８を接着剤により接合したものである。本例では、第１木材層１０、第２木材層１２、第３木材層１４の厚みはそれぞれ４ｍｍ、第１竹材層１６、第２竹材層１８の厚みはそれぞれ２ｍｍであるが、これらの層の厚みは適宜設定することができる。また、本例では、各層の接着面に、鋸刃によるエンボス加工によって凹凸が設けられている。
【００２５】
そして、雄桟２の突出部４の上面および雌桟６の係合溝８の上壁面に第１竹材層１６が露出し、雄桟２の突出部４の下面および雌桟６の係合溝８の下壁面に第２竹材層１８が露出している。
【００２６】
本例の桟木を用いた目透天井の施工方法は、図４に示したのと同様である。
【００２７】
（第２実施形態）
図２は、本発明の第２実施形態に係る天井板用桟木を用いた天井板を施工した状態を示す断面図である。本例の天井板は、耐火性を有する石膏ボード天井板である。図２において２０は石膏ボードからなる天井板本体を示し、雄桟２２および雌桟２６は、天井板本体２０の上面幅方向両端部にそれぞれ固定されている。
【００２８】
本例において、雄桟２２は、外側面下部に長さ方向に沿って突出部２４が形成されたものである。雌桟２６は、外側面下部に長さ方向に沿って係合溝２８が形成されたものである。
【００２９】
本例の雄桟２２および雌桟２６は、いずれも、竹（本例ではモウソウチクを使用）からなる竹材層と、間伐木（本例では杉を使用）からなる木材層とを交互に積層した３層構造の同一の複層材２９により形成されている。具体的には、上記複層材２９は、いずれも単板状の第１木材層３０、第２木材層３２、および、第１木材層３０と第２木材層３２との間の竹材層３４を接着剤により接合したものである。本例では、第１木材層３０の厚みは４ｍｍ、第２木材層３２の厚みは３ｍｍ、竹材層３４の厚みは３ｍｍであるが、これらの層の厚みは適宜設定することができる。また、本例では、各層の接着面に、鋸刃によるエンボス加工によって凹凸が設けられている。
【００３０】
そして、雄桟２２の突出部２４の上面および雌桟２６の係合溝２８の上壁面に竹材層３４が露出している。
【００３１】
本例の石膏ボード天井板の施工方法は、図４に示したのと同様である。
【００３２】
なお、本発明の天井板用桟木における雄桟、雌桟の形状・構造は、前述した実施形態に限定されるものではなく、必要に応じて種々の変更が可能である。
【符号の説明】
【００３３】
２  雄桟
４  突出部
６  雌桟
８  係合溝
９  複層材
１０  第１木材層
１２  第２木材層
１４  第３木材層
１６  第１竹材層
１８  第２竹材層
２０  天井板本体
２２  雄桟
２４  突出部
２６  雌桟
２８  係合溝
２９  複層材
３０  第１木材層
３２  第２木材層
３４  竹材層
【図１】
2013181315.tif 000003
【図２】
2013181315.tif 000004
【図３】
2013181315.tif 000005
【図４】
2013181315.tif 000006